(57)【要約】      （修正有）【課題】ドーム状の保護眼帯を顔面に固定するための保護眼帯固定用アイマスクを提供する。【解決手段】保護眼帯固定用アイマスク１は、略長方形の非伸縮性の一層の不織布からなり左右各半部の略中央にそれぞれ透視孔１２を具備するマスク本体１１と、マスク本体の左右各縁にそれぞれ取り付けられた伸縮性の耳掛け紐１３と、を有する。保護眼帯固定用アイマスクが袋内に滅菌密閉包装された保護眼帯固定用アイマスク個装品であり、袋の内部において、保護眼帯固定用アイマスクの上に薬液を含浸させた清拭シートが重ねられている。【選択図】図１
2018007758.tif 000002
【特許請求の範囲】
【請求項１】
ドーム状の保護眼帯（５）を顔面に固定するための保護眼帯固定用アイマスク（１、１Ａ、１Ｂ）であって、
略長方形の非伸縮性の一層の不織布からなり左右各半部の略中央にそれぞれ透視孔（１２）を具備するマスク本体（１１）と、
前記マスク本体（１１）の左右各縁にそれぞれ取り付けられた伸縮性の耳掛け紐（１３）と、を有することを特徴とする
保護眼帯固定用アイマスク。
【請求項２】
前記マスク本体（１１）の左右各半部の大きさは、固定時の前記保護眼帯（５）全体を覆うことが可能な大きさであり、前記透視孔（１２）はその全体が、固定時の前記保護眼帯（５）の周縁よりも内側に位置することを特徴とする請求項１に記載の保護眼帯固定用アイマスク。
【請求項３】
前記マスク本体（１１）の下縁の全体又は一部に沿って該マスク本体（１１）に取り付けられたワイヤー（１５）をさらに有することを特徴とする請求項１又は２に記載の保護眼帯固定用アイマスク。
【請求項４】
前記マスク本体（１１）の左右各縁に沿って該マスク本体（１１）に取り付けられたワイヤー（１５）をさらに有することを特徴とする請求項１〜３のいずれかに記載の保護眼帯固定用アイマスク。
【請求項５】
前記マスク本体（１１）の裏面における前記透視孔（１２）の周縁近傍に取り付けられた滑り止め材（１７）をさらに有することを特徴とする請求項１〜４のいずれかに記載の保護眼帯固定用アイマスク。
【請求項６】
請求項１〜５のいずれかに記載の前記保護眼帯固定用アイマスク（１、１Ａ、１Ｂ）が袋（３）内に滅菌密閉包装された保護眼帯固定用アイマスク個装品（４）であって、
前記袋（３）の内部において、前記保護眼帯固定用アイマスク（１、１Ａ、１Ｂ）の上に薬液を含浸させた清拭シート（２）が重ねられており、
前記清拭シート（２）は、前記袋（３）の取出口側における前記保護眼帯固定用アイマスク（１、１Ａ、１Ｂ）の縁（１１ｄ）の近傍の片面を覆うように重ねられていることを特徴とする
保護眼帯固定用アイマスク個装品。
【請求項７】
請求項１〜５のいずれかに記載の前記保護眼帯固定用アイマスク（１、１Ａ、１Ｂ）が袋（３）内に滅菌密閉包装された保護眼帯固定用アイマスク個装品（４Ａ）であって、
前記袋（３）の内部において、前記保護眼帯固定用アイマスク（１、１Ａ、１Ｂ）の上に薬液を含浸させた清拭シート（２）が重ねられており、
前記清拭シート（２）は、前記袋（３）の取出口側における前記保護眼帯固定用アイマスク（１、１Ａ、１Ｂ）の縁（１１ｄ）の近傍の両面を覆うように折り返され重ねられていることを特徴とする
保護眼帯固定用アイマスク個装品。
【発明の詳細な説明】
【技術分野】
【０００１】
本発明は、保護眼帯を顔面に固定するためのアイマスク及びその個装品に関する。
【背景技術】
【０００２】
白内障の術後には感染症防止が重要である。医療施設によって多少の違いはあるが、一般的に、おおよそ以下のような処置が行われている。手術日は、術後に抗生剤を点眼した後、保護眼帯を装着して帰宅し、そのまま翌日に来院して再度点眼し、保護眼帯を保護メガネに替えて帰宅する。その後は、約一週間、自宅で点眼を行いながら、昼間は保護メガネをかけ、就寝中は保護眼帯を装着する。就寝中は、無意識に患部に触れる虞があるためである。
【０００３】
本明細書における「保護眼帯」とは、眼に直接触れない非接触タイプであり、眼との間に空間を介して眼の周囲を覆うドーム状に形成された硬質のものをいう。
【０００４】
図８を参照して保護眼帯と、その従来の装着方法を説明する。図８（ａ）は保護眼帯の平面図、（ｂ）は裏面図、（ｃ）は側面図であり、（ｄ）は保護眼帯の従来の装着状態を示している。
【０００５】
非接触タイプの保護眼帯５は、眼との間に空間を介して眼の周囲を覆うようにドーム状に形成されている。保護眼帯５は、平面視にて眼の形状に沿う卵形の輪郭をもつ眼帯本体５１を具備する。眼帯本体５１の表面側が凸面となっており裏面側に空間がある。眼帯本体５１は、ここでは透明な硬質プラスチック製である。眼帯本体５１の裏面側の周縁に顔面との密着性をよくするためのクッション材５３が取り付けられている。この種の保護眼帯の一例としては特許文献１に記載されたものがある。クッション材５３が無いものもあり、透明ではなくアルミニウム製のものもある。
【０００６】
眼帯本体５１に穿設された複数の孔５２は、通気性を確保するためのものであるが、この孔５２に紐を通し、紐を耳に掛けて固定することもできる。しかしながら、紐を通すことは煩雑であるので、通常は図８（ｄ）に示すように粘着テープ６で顔面に固定される。
【０００７】
白内障の術後の場合、患者は、約一週間、毎日就寝前に保護眼帯５を装着する。その際には、先ず顔面と手指をアルコール等で殺菌消毒し、保護眼帯５を清浄綿等で十分に拭いた後、保護眼帯５を患部側の眼に当て、その上から粘着テープを十字に貼り固定しなければならない。
【０００８】
眼の患部を覆うための医療用の眼帯としては、術後に眼を圧迫するためのアイマスク（特許文献２）、保冷材を内包した保冷眼帯（特許文献３）、伸縮性のある不織布により眼に当てる当て布を押さえる耳掛け紐付きの眼帯（特許文献４）がある。
【先行技術文献】
【特許文献】
【０００９】
【特許文献１】特開２００７−１５１７６６号公報
【特許文献２】実用新案登録第３２０１８９３号公報
【特許文献３】特開平７−２２２７６６号公報
【特許文献４】特開２０１６−８７３７３号公報
【発明の概要】
【発明が解決しようとする課題】
【００１０】
しかしながら、従来の医療用の眼帯やアイマスクには、図８に示したようなドーム状の硬質の保護眼帯を確実にかつ容易に顔面に固定できるようなものは、未だ提示されていない。現状では、粘着テープによる固定が一般的であるが、粘着テープ自体は殺菌消毒することができないため、粘着テープが不衛生となり感染の原因となりかねない。また、粘着テープで皮膚がかぶれることもある。
【００１１】
さらに、透明な保護眼帯の場合、粘着テープを十字に貼ると視野が遮られるため、透明な保護眼帯を用いる意味が無く、バランス感覚に支障を来すことになる。
【００１２】
なお、図８に示した保護眼帯５の孔５２に紐を通した状態で滅菌され個別包装された製品もあるが、価格が高い。また、開封後は紐を殺菌することは難しいので、毎回使い捨てにしなければならず、さらに費用がかかることになる。
【００１３】
以上の現状に鑑み本発明は、ドーム状の保護眼帯を顔面に固定するためのアイマスクであって、保護眼帯を確実にかつ容易に顔面に固定でき、透明な保護眼帯の場合は視野を遮ることがなく、かつ、シンプルな構成で使い捨て可能な程度に低コストのものを提供することを目的とする。また、そのようなアイマスクの個装品を提供することを目的とする。
【課題を解決するための手段】
【００１４】
上記の課題を解決すべく、本発明は以下の構成を提供する。括弧内の数字は、後述する図面中の符号であり、参考のために付するものである。
【００１５】
・  本発明の態様は、ドーム状の保護眼帯（５）を顔面に固定するための保護眼帯固定用アイマスク（１、１Ａ、１Ｂ）であって、略長方形の非伸縮性の一層の不織布からなり左右各半部の略中央にそれぞれ透視孔（１２）を具備するマスク本体（１１）と、前記マスク本体（１１）の左右各縁にそれぞれ取り付けられた伸縮性の耳掛け紐（１３）と、を有することを特徴とする。
・  上記態様において、前記マスク本体（１１）の左右各半部の大きさは、固定時の前記保護眼帯（５）全体を覆うことが可能な大きさであり、前記透視孔（１２）はその全体が、固定時の前記保護眼帯（５）の周縁よりも内側に位置することを特徴とする。
・  上記態様において、前記マスク本体（１１）の下縁の全体又は一部に沿って該マスク本体（１１）に取り付けられたワイヤー（１５）をさらに有することを特徴とする。
・  上記態様において、前記マスク本体（１１）の左右各縁に沿って該マスク本体（１１）に取り付けられたワイヤー（１５）をさらに有することを特徴とする。
・  上記態様において、前記マスク本体（１１）の裏面における前記透視孔（１２）の周縁近傍に取り付けられた滑り止め材（１７）をさらに有することを特徴とする。
・  本発明の別の態様は、上記の保護眼帯固定用アイマスク（１、１Ａ、１Ｂ）が袋（３）内に滅菌密閉包装された保護眼帯固定用アイマスク個装品（４）であって、前記袋（３）の内部において、前記保護眼帯固定用アイマスク（１、１Ａ、１Ｂ）の上に薬液を含浸させた清拭シート（２）が重ねられており、前記清拭シート（２）は、前記袋（３）の取出口側における前記保護眼帯固定用アイマスク（１、１Ａ、１Ｂ）の縁（１１ｄ）の近傍の片面を覆うように重ねられていることを特徴とする
・  本発明の別の態様は、上記の前記保護眼帯固定用アイマスク（１、１Ａ、１Ｂ）が袋（３）内に滅菌密閉包装された保護眼帯固定用アイマスク個装品（４Ａ）であって、前記袋（３）の内部において、前記保護眼帯固定用アイマスク（１、１Ａ、１Ｂ）の上に薬液を含浸させた清拭シート（２）が重ねられており、前記清拭シート（２）は、前記袋（３）の取出口側における前記保護眼帯固定用アイマスク（１、１Ａ、１Ｂ）の縁（１１ｄ）の近傍の両面を覆うように折り返され重ねられていることを特徴とする。
【発明の効果】
【００１６】
本発明による保護眼帯固定用アイマスク（以下「アイマスク」と略称する場合がある）は、略長方形の非伸縮性の一層の不織布からなるマスク本体と、伸縮性の耳掛け紐とを主要な構成要素とする。従って、シンプルな構成で低コストに製造できるので使い捨て可能であり、常に清潔なものを使用できる。耳掛け紐をかけるのみの簡単な動作で容易に装着できる。
【００１７】
両眼に対応する位置に透視孔が設けられているので、透明な保護眼帯の場合の視野を確保できる。また、健常側の眼の視野も確保できる。
【００１８】
本発明による保護眼帯固定用アイマスク個装品（以下「アイマスク個装品」と略称する場合がある）は、袋の内部に、滅菌済みのアイマスクと薬液を含浸させた清拭シートを互いに重ねて同梱しているので、アイマスクをできるだけ汚染することなく取り出すことができる。また、取り出した清拭シートを用いて保護眼帯を拭くことができるので便利である。
【００１９】
白内障はほとんど全ての人が患うといわれている。従って、白内障の術後ケアについては、誰もが容易にかつ衛生的に行えることが肝要である。本発明は、このような要請に応えるものであり、極めて社会的有用性の高いものである。
【図面の簡単な説明】
【００２０】
【図１】図１は、本発明の保護眼帯固定用アイマスクの基本形態を概略的に示しており、（ａ）は平面図、（ｂ）は裏面図、（ｃ）は側面図、（ｄ）は（ｂ）のＩ−Ｉ断面図である。
【図２】図２は、マスク本体とともに、装着した保護眼帯を点線で示して位置関係を示した平面図である。
【図３】図３（ａ）〜（ｅ）は、図１に示したアイマスクを装着する手順の一例を説明する図である。
【図４】図４は、ワイヤーをマスク本体に取り付けた実施形態の一例であるアイマスクを示し、（ａ）は平面図、（ｂ）は裏面図、（ｃ）はＩＶ−ＩＶ拡大断面図である。
【図５】図５は、滑り止め材を透視孔の周囲に取り付けた実施形態の一例であるアイマスクを示し、（ａ）〜（ｄ）はそれぞれ滑り止め材の配置例を示す裏面図である。
【図６】図６は、本発明の別の実施形態である保護眼帯固定用アイマスク個装品を示し、（ａ）はアイマスク個装品４の外観斜視図であり、（ｂ）は（ａ）のＶ−Ｖ断面を模式的に示したものであり、（ｃ）（ｄ）は取り出し方の一例を示す図である。
【図７】図７は、保護眼帯固定用アイマスク個装品の別の形態の一例である。図７（ａ）〜（ｃ）は、それぞれ図６（ｂ）〜（ｄ）に相当する図である。
【図８】図８（ａ）は保護眼帯の平面図、（ｂ）は裏面図、（ｃ）は側面図であり、図８（ｄ）は保護眼帯の従来の装着状態を示している。
【発明を実施するための形態】
【００２１】
以下、本発明の構成例を示した図面を参照しつつ本発明の実施形態を説明する。
本発明による保護眼帯固定用アイマスクの適用対象である「保護眼帯」は、眼に直接触れない非接触タイプであり、眼との間に空間を介して眼の周囲を覆うようにドーム状に形成された硬質のものをいう。「アイカバー」、「アイシールド」又は「アイカップ」と称されることもある。図８に示したような平面視にて卵形のものが一般的である。透明なものはプラスチック製であり、不透明なものとしてはアルミニウム製がある。
【００２２】
このタイプの保護眼帯は、例えば、白内障、レーシック、フェイキックＩＯＬ、その他の眼病（例えば結膜炎、角膜炎等）の治療並びに術後の感染防止のために有効である。特に、保護メガネを装着できない就寝中には、無意識に眼に触れることを防止するためにこのタイプの保護眼帯が用いられる。本発明による保護眼帯固定用アイマスクは、このタイプの保護眼帯を顔面に固定するためのものである。
【００２３】
［１]  保護眼帯固定用アイマスクの基本実施形態
図１は、本発明の保護眼帯固定用アイマスクの基本形態を概略的に示しており、（ａ）は平面図、（ｂ）は裏面図、（ｃ）は側面図、（ｄ）は（ｂ）のＩ−Ｉ断面図である。
【００２４】
アイマスク１は、シート状のマスク本体１１と、耳掛け紐１３とを有する。マスク本体１１は、略長方形の非伸縮性の一層の不織布からなる。アイマスク１を装着した際の両眼の位置に対応するように、マスク本体１１の左右各半部の略中央にそれぞれ透視孔１２が設けられている。
【００２５】
アイマスク１の主な機能は、保護眼帯の支持固定である。従って、マスク本体１１は、支持固定のために必要十分な強度をもつ一層の不織布でよく、フィルタ機能や多層構造とする必要は無い。また、眼の周囲を帯状に覆えばよいので、プリーツ（折り襞）は無くてもよい。プリーツを設ける場合、口に当てるマスクにあるような幅広の何本ものプリーツは不要であるが、例えば比較的幅の狭いプリーツで２本程度までならば装着や取り外しが容易になるので好ましい。
【００２６】
不織布は、繊維を機械的に絡ませたり、化学的に融着／接着させることにより繊維間を結合させてシート状に形成したものである。不織布の素材は、ポリプロピレン等のオレフィン系樹脂繊維が好適であるが、これに限られず、スチレン系、エステル系等の樹脂繊維でもよい。医療用不織布の製法としては、スパンレース法、メルトブローン法、フラッシュスパン法等がある。
【００２７】
耳掛け紐１３は、伸縮性のある紐である。耳掛け紐１３の両端はマスク本体１１の左右両縁に固着されている。図示の例では、耳かけ紐１３の両端を固着した取付部１４は、マスク本体１１の裏面１１ｂの左右両縁の上端と下端に位置する。取付部１４における固着手段は、接着剤を用いない融着が好適であるが、接着でもよい。別の例として、耳かけ紐１３の両端を、マスク本体１１の裏面１１ｂではなく表面１１ａに固定してもよい。耳かけ紐１３は、例えばポリウレタン等のウレタン系エラストマーが好適であるが、これに限られない。また、マスク本体１１に融着するために熱可塑性エラストマーであることが好適である。
【００２８】
マスク本体１１は非伸縮性であるが、耳掛け紐１３が伸縮性であるので、保護眼帯を支持固定する機能は十分に得られる。むしろ、マスク本体１１は非伸縮性である方が好ましい。仮に、マスク本体１１全体が伸縮性であると装着し難しく、また、装着後もマスク本体１１全体が顔面を圧迫することになるので、就寝中に長時間装着すると不快であり皮膚にもストレスを与える。本発明のアイマスク１では、マスク本体１１と顔面の間に適度な通気のための間隙が形成されるとともに、マスク本体１１全体が顔面を圧迫しないので快適である。
【００２９】
透視孔１２は、患部側の眼においては、透明な保護眼帯を装着した場合に保護眼帯を通して視野を確保するためのものであり、健常側の眼においては、直接その視野を確保するためのものである。
【００３０】
図示の例では、マスク本体１１の下縁中央に鼻の形状に沿わせるための切り欠き１１ｃが形成されているが、これは任意である。切り欠き１１ｃを形成しない場合、アイマスク１は、表裏及び上下左右を入れ替えても機能に支障が無く、方向を意識せずに使用することができる。切り欠き１１ｃがあっても表裏については関係なく使用可能である。
【００３１】
図２は、マスク本体１１とともに、装着した保護眼帯５を点線で示して位置関係を示した平面図である。マスク本体１１の左右各半部の大きさは、適用対象の保護眼帯５の全体を覆うことが可能な大きさとする。よって、左右各半部の横幅Ｗ１は、保護眼帯５の最大横幅Ｇ１よりも長く、左右各半部の縦幅Ｗ２は、保護眼帯５の最大縦幅Ｇ２よりも長く設定される。保護眼帯５の大きさは、例えば、大人用の場合はＧ１が７７ｍｍ、Ｇ２が５７ｍｍ、ベビー用の場合はＧ１が５５ｍｍ、Ｇ２が４０ｍｍである。アイマスク１の製品化においては、適用対象の保護眼帯５の大きさに合わせて大人用、ベビー用等、大きさの異なる製品を作製することが好適である。
【００３２】
透視孔１２は、円形が好適であるが、視野の確保が可能な形状及び大きさであれば長円、楕円等でもよい。透視孔１２はその全体が、適用対象の保護眼帯５の周縁よりも内側に位置するように設定される。
【００３３】
さらに、ドーム形状の保護眼帯５の最も突出した頂点Ｔが、透視孔１２の周縁よりも内側に位置することが好適である。それにより、透視孔１２の周縁が保護眼帯５の頂点Ｔの周囲の表面を押さえることになる。その結果、保護眼帯５が移動し難くなる。このように、透視孔１２は、保護眼帯５を顔面上の適切な位置に保持する作用がある。
【００３４】
図３（ａ）〜（ｅ）は、図１に示したアイマスク１を装着する手順の一例を説明する図である。なお、本例では、片目に保護眼帯を装着する場合について説明するが、本発明のアイマスクは、両眼に保護眼帯を装着する場合にも当然に使用可能である。
【００３５】
図３（ａ）は、装着前の使用者の顔の正面を示す。患部側の眼を符号Ｅ１で、健常側の眼を符号Ｅ２で示す。使用者は、装着前に保護眼帯５をアルコールや清浄綿により十分に清拭する。この時点で、アイマスク１は、片手で直ぐに取り上げられる身近な位置に準備しておく。アイマスク１は、新しい滅菌済みのものを使用することが好ましい。
【００３６】
図３（ｂ）に示すように、患部側の眼Ｅ１に保護眼帯５を当てる。図示の例では、保護眼帯５は透明である。使用者は、この時点では保護眼帯５を片手で仮に押さえておく。そして、空いている方の手でアイマスク１を取り上げ、患部側の方の耳に耳かけ紐１３を掛け、保護眼帯５が落下しないように押さえつつ、アイマスク１で保護眼帯５を覆い、もう一方の耳に耳かけ紐１３を掛ける。
【００３７】
図３（ｃ）は、アイマスク１の装着後の顔の正面を示し、（ｄ）は（ｃ）のII-II概略断面を、（ｅ）は（ｃ）のIII-III概略断面を示す（但し、断面は保護眼帯５とアイマスク１の断面のみであり、顔については側面を示す）。２つの透視孔１２がそれぞれ両眼Ｅ１、Ｅ２の前方に位置して視野が確保できるならば、正しい位置に装着されている。
【００３８】
正しく装着されると、患部側の眼Ｅ１については図３（ｄ）に示すように、透視孔１２の周縁が保護眼帯５の頂点の周囲を押さえるので、保護眼帯５の位置が安定に保持されることになる。
【００３９】
一方、健常側の眼Ｅ２については図３（ｅ）に示すように、眼Ｅ２とアイマスク１の間に隙間ができるので、アイマスク１が眼Ｅ２及びその周囲を圧迫することなく、通気性も確保される。これはアイマスク１が非伸縮性の不織布であることによる。
【００４０】
［２］  保護眼帯固定用アイマスクのその他の実施形態
以下、本発明による保護眼帯固定用アイマスクのその他の実施形態について、それぞれ一例を示しつつ説明する。以下の実施形態は、いずれも上述した基本実施形態の変形形態である。また、各変形形態の特徴を組み合わた形態も可能である。
【００４１】
図４は、ワイヤーをマスク本体に取り付けた実施形態の一例であるアイマスク１Ａを示す。図４（ａ）は平面図、（ｂ）は裏面図、（ｃ）はＩＶ−ＩＶ拡大断面図である。
【００４２】
アイマスク１Ａは、マスク本体１１の下縁及び左右側縁に沿って１本のワイヤー１５を取り付けられている。ワイヤー１５は手で簡単に曲げることができる。ワイヤー１５を顔面に沿わせるように曲げてマスク１Ａの周縁を顔面の形状にフィットさせることで、保護眼帯がアイマスク１Ａの下縁及び左右側縁から落下することを防止する。
【００４３】
図示の例では、ワイヤー１５はマスク本体１１の表面１１ａ側に取り付けられ、ワイヤー１５は、帯状の取付テープ１６で完全に覆われている。取付テープ１６は、例えばマスク本体１１と同じ素材でもよく、マスク本体１１に融着されている。ワイヤー１５の両端が取付テープ１６を突き破り露出すると危険であるので、両端部分は特に強固に覆われている。安全上、ワイヤー１５を表面１１ａ側に取り付けることが好ましいが、突出の虞がなければ裏面１１ｂ側でもよい。
【００４４】
ワイヤー１５は、マスク本体１１の下縁のみに設けてもよく、左右側縁のみに設けてもよい。また、下縁のみに設ける場合、下縁全体に設けてもよく、下縁の一部（保護眼帯の落下を防ぐ位置）に設けてもよい。
【００４５】
図５は、滑り止め材を透視孔の周囲に取り付けた実施形態の一例であるアイマスク１Ｂを示す。図５（ａ）〜（ｄ）はそれぞれ滑り止め材の配置例を示す裏面図である。
【００４６】
滑り止め材１７は、マスク本体１１の裏面１１ｂ側すなわち保護眼帯と当接する側において、透視孔１２の周縁近傍に取り付けられる。滑り止め材１７は、保護眼帯に対してマスク本体１１が有するよりも大きな摩擦係数を有する素材から形成される。滑り止め材１７は、マスク本体１１と同程度の厚さのシート状であり、その形状及び配置は、図５（ａ）〜（ｄ）に例示するように多様な形態とすることができる。透視孔１２の周囲全体に設けてもよく、一部に設けてもよい。
【００４７】
アイマスク１Ｂを装着すると、滑り止め材１７が保護眼帯の表面に接触することにより、その摩擦力で保護眼帯の動きを抑制し、保護眼帯をより安定に支持固定することができる。保護眼帯の落下防止機能を強化する場合は、図５（ｄ）のように透視孔１２の下側のみに設けてもよい。
【００４８】
滑り止め材１７は、接着剤を用いず熱融着によりマスク本体１１に取り付け可能な素材が好ましい。素材としては、例えば、ウレタン系、スチレン系等の熱可塑性樹脂繊維から形成された不織布が好適である。アイマスク１Ｂの衛生状態を維持する必要があるので、粘着物質等を含まないか又は粘着物質を含む場合もそれが外部に滲出しない素材であることが好ましい。滑り止め材１７の素材がアイマスク１Ｂと同じ樹脂であっても、繊維の長さ、目の細かさ、繊維の絡み程度、表面の凹凸の差などを調整することによって摩擦係数を大きくすることができる。
【００４９】
［３］  保護眼帯固定用アイマスク個装品の実施形態
図６は、本発明の別の実施形態である保護眼帯固定用アイマスク個装品を示す。図６（ａ）はアイマスク個装品４の外観斜視図であり、（ｂ）は（ａ）のＶ−Ｖ断面を模式的に示したものであり、（ｃ）（ｄ）は取り出し方の一例を示す図である。図６（ｂ）〜（ｄ）では、説明の便宜上、厚さ方向を誇張して示している。
【００５０】
アイマスク個装品４は、プラスチック製の袋３に、滅菌済みのアイマスク１と清拭シート２を同梱して密封した個別包装の製品である。滅菌は、例えば高圧蒸気滅菌により行う。
【００５１】
袋３の内部には、耳かけ紐１３を内側に折り曲げた状態の１枚のアイマスク１と、アイマスク１の裏面１１ｂに重ねられた１枚の清拭シート２が収容されている。清拭シート２は、広いシートを折り畳んだ状態で収容してもよい。清拭シート２の大きさは任意である。清拭シート２は、アイマスク１の裏面１１ｂではなく表面１１ａの上に重ねてもよい。袋３の密封は、熱シール等の周知技術により行われる。
【００５２】
清拭シート２は、脱脂綿に薬液を含浸させたシート状の清浄綿又は消毒綿である。清浄綿の場合の薬液は、例えば、殺菌消毒剤であるグルコン酸クロルヘキシジン０．０２％溶液又は塩化ベンザルコニウム０．０１％溶液等である。消毒綿の場合は、清浄綿と同じ成分であるが、より高濃度溶液とする。清浄綿は、汚れを拭くためのものであり殺菌効果はないが、消毒綿は殺菌効果がある。清拭シート２は、清浄綿であっても、消毒綿であってもよい。
【００５３】
清拭シート２をアイマスク１に重ねると、アイマスク１の表面に多少薬液が移動して湿り気を帯びるが、アイマスク１の装着に支障を生じる程度では無い。また、開封後に装着の準備をしている間に、ある程度は乾く。
【００５４】
保護眼帯を装着しようとする使用者は、先ず、手指の殺菌消毒を行ってからアイマスク個装品４を開封する。図６（ｃ）に示すように、袋３の取出口側の縁を切り取り開封する。次に図６（ｄ）に示すように、重なったアイマスク１と清拭シート２の取出口側の端部を持って袋３から引き出す。このとき、袋３の取出口側におけるアイマスク１の縁１１ｄの近傍の片面を清拭シート２が覆っているので、アイマスク１の少なくとも片面には手指が直接触れない。手指は一応殺菌消毒しているが、滅菌済みのアイマスク１のマスク本体にはなるべく触れない方が好ましい。
【００５５】
アイマスク１と清拭シート２を取り出した後、アイマスク１は、一旦清潔な場所に置いておき、清拭シート２で保護眼帯をよく拭く。その後、図３を参照して説明したように、保護眼帯とアイマスク１を顔面に装着する。アイマスク１と清拭シート２が同梱されていると、保護眼帯の装着を効率的に行うことができる。
【００５６】
図７は、保護眼帯固定用アイマスク個装品の別の形態の一例である。図７（ａ）〜（ｃ）は、それぞれ図６（ｂ）〜（ｄ）に相当する図である。
【００５７】
図７のアイマスク個装品４Ａにおいて、図６のアイマスク個装品４と異なる点は、清拭シート２の重ね方であり、その他の点では共通するので説明を省略する。
【００５８】
図７（ａ）に示すように、清拭シート２は、袋３の取出口側におけるアイマスク１の縁１１ｄの近傍の両面を覆うように折り返され、重ねられている。図７（ｂ）に示すように開封し、図７（ｃ）に示すように取り出す。このとき、袋３の取出口側におけるアイマスク１の縁１１ｄの近傍の両面を清拭シート２が覆っているので、アイマスク１の両面に手指が直接触れずにすむ。
【００５９】
なお、図６及び図７では、保護眼帯固定用アイマスク個装品４、４Ａに、図１に示したアイマスク１を収容する例を示したが、図４に示したアイマスク１Ａ、図５に示したアイマスク１Ｂを収容してもよいことは自明である。
【００６０】
また図示しないが、保護眼帯固定用アイマスク個装品のさらに別の実施形態としては、清拭シート２をアイマスク１に直接重ねる替わりに、清拭シート２を第２の袋（袋３より小さいもの）に滅菌密封包装したものをアイマスク１と重ね、全体を滅菌して袋３に密封してもよい。
【符号の説明】
【００６１】
１、１Ａ、１Ｂ  保護眼帯固定用アイマスク
１１  マスク本体
１１ａ  表面
１１ｂ  裏面
１１ｃ  切り欠き
１１ｄ  （取出口側の）縁
１２  透視孔
１３  耳掛け紐
１４  取付部
１５  ワイヤー
２  清拭シート
３  袋
４、４Ａ  保護眼帯固定用アイマスク個装品
【図１】
2018007758.tif 000003
【図２】
2018007758.tif 000004
【図３】
2018007758.tif 000005
【図４】
2018007758.tif 000006
【図５】
2018007758.tif 000007
【図６】
2018007758.tif 000008
【図７】
2018007758.tif 000009
【図８】
2018007758.tif 000010